(57)【要約】【課題】ノズルの改良だけでは有煙性の発生を減少させるのには限界があり、その本質其の物の最大の起因は、ガス燃料の母体である。有煙性が発生するという問題があった。【解決手段】本発明は、ガス燃料、少なくとも１種以上の窒素含有化合物を大気下で気化する可燃性ガスに溶解してなることを特徴とする。無煙性発生用液化ガス燃料である。窒素含有化合物は、特にニトロ基を含む酸化剤が好適である。ニトロ基を含む酸化剤としては、ピクリン酸等の芳香族ニトロ化合物、ニトロエタン等の脂肪族ニトロ化合物をである。各種の溶剤はメタノール等を用いる。可燃性ガスは、常温で気体となる低分子量の炭化水素、ブタン等があるが液化ブタンが良い。【特許請求の範囲】
【請求項１】
少なくとも１種以上の窒素含有化合物を大気下で気化する可燃性ガスに溶解してなることを特徴とするガス燃料。
【請求項２】
前記窒素含有化合物が、ニトロ化合物、アミン化合物、アミノ化合物等であることを特徴とする請求項１に記載の無煙性炎発生用液化ガス燃料。
【発明の詳細な説明】
【０００１】
【発明の属する技術分野】
本発明は、ガス燃料の燃焼時に有煙性の発生を解消し、無煙性の可燃性ガスを発生させることが出きるようにした無煙性発生用液化ガス燃料に関する。
【０００２】
【従来の技術】
従来のガスバーナ等のノズル等は燃焼装置等を使い、可燃性ガスによる完全燃焼をしたものが種々の提案されている。
しかしながら、上記従来技術に用いられこの燃焼装置では、ガスバーナ等の燃焼装置が用いられ完全燃焼炎に改良し、空気孔等を取り入れた構造であつても、ガス燃焼時に発生する間欠的な燃焼を完全には、改良ができない。どうしてもノズルの改良だけでは有煙性の発生を減少させるのには限界がある。その本質其の物の最大の起因は、ガス燃料の母体である。
よって、有煙性が発生するという問題があった。
【０００３】
【発明が解決しようとする課題】
ところで、上記の従来技術のガスバーナ等の燃焼装置のノズル等の改良では解決が出来ない。
本発明者等は、技術革新を更に発展させる為に、研究を重ねて、大気圧下で気化する可燃性ガスに触媒である酸化剤を添加して溶解せしめた。無煙性炎発生用液化ガス燃料を完成したものである。
本発明は、ガス燃料、窒素含有化合物を大気下で気化する可燃性ガスに溶解してなることを特徴とする。ガス燃料の有煙性の発生と間欠炎は解消され、安定した無煙性炎になり、鮮明なる燃焼炎である。よって無煙性発生用液化ガス燃料を提供することにある。
【０００４】
【課題を解決するための手段】
上記目的を達成するために、本発明は、ガス燃料、窒素含有化合物を単体又は複合にて大気下で気化する可燃性ガスに溶解してなることを特徴とする。
【０００５】
【発明の実施の形態】
本発明で用いられる酸化剤としては、公知の酸化剤を用いることは勿論であるが、特にニトロ基を含む酸化剤が好適と認められる。ニトロ基を含む酸化剤としては、ｍ−ニトロベンゼンスルホン酸ナトリウム、２，４−ジニトロベンゼンスルホン酸ナトリウム、２，４，６−トリニトロ安息香酸、ピクリン酸、２，４，６−トリニトロレゾシル等の芳香族ニトロ化合物、また、ニトロメタン、ニトロエタン等の脂肪族ニトロ化合物を挙げることができる。
また、本発明においては、必要に応じて、各種の溶剤、例えばメタノール、エタノール、エーテル類、テトラヒドロフラン、蟻酸メチル等を用いることができる。
本発明で用いられる大気圧下で気化する可燃性ガスとしては、常温で気体となる低分子量の炭化水素、例えば、ブタン（ノルマルブタン・イソブタン）、プロパン、ＬＰガス、ペンタン等が挙げられるが液化ブタンを用いるのが好ましい。本発明で用いられる各組成分は、酸化剤０，０００１〜１０．０重量％、可燃性ガス９０．０〜９９．９９９９重量％の割合で適宜選択的に配合して調整する。
【０００６】
実施例（１）
市販のカートリッジ式ボンベ（３００ｃｃの容器）の中に▲１▼ピクリン酸０．２５ｃｃを挿入して▲２▼液化ガスをカートリッジ式ボンベ２５０ｃｃを充填し封入した。カートリッジ式ボンベを市販のガスバーナに装備し、ガスバーナに着火、燃焼させ、ガラス加工の作業をした。手造りガラス器にガラス製棒、とんぼ玉等で装飾をした燃焼ガスの煙性の灰黒色等が付着しないので、従来にない美しい手造りガラス器の高品質な製品の仕上りとなった。
【０００７】
実施例（２）
市販のカートリッジ式ボンベ（３００ｃｃの容器）の中に▲１▼ｍ−ニトロベンゼンスルホン酸ナトリウム０．１２５ｃｃとピクリン酸０．１２５ｃｃを挿入して▲２▼液化ガスをカートリッジ式ボンベ２５０ｃｃを充填し封入した。カートリッジ式ボンベを市販のガスバーナに装備し、ガスバーナに着火、燃焼させ、ガラス加工の作業をした。クリスタルガラスの器にガラス製棒、とんぼ玉等で装飾をした。燃焼ガスの有煙性の灰黒色等が付着しないので、従来にない美しいクリスタルガラス器の高品質な製品の仕上りになった。
【０００８】
実施例（３）
市販のカートリッジ式ボンベ（３００ｃｃの容器）の中に２，４，６−ニトロベンゼンスルホン酸ナトリウム０，２５ｃｃを挿入して▲２▼液化ガスをカートリッジ式ボンベ２５０ｃｃを充填し封入した。カートリッジ式ボンベを市販のガスバーナに装備し、ガスバーナに着火、燃焼させ、ガラス加工の作業をした。ミニチュアガラスにガラス製棒、とんぼ玉等の装飾をした。燃焼ガスの有煙性が灰黒色等が付着しないので、従来にない美しいミニチュアガラス製品の高品質な製品の仕上りになった。
【０００９】
実施例（４）
市販のカートリッジ式ボンベ（３００ｃｃの容器）の中に２，４−ジニトロベンゼンスルホン酸ナトリウム０．２５ｃｃを挿入して▲２▼液化ガスをカートリッジ式ボンベ２５０ｃｃを充填し封入した。カートリッジ式ボンベを市販のガスバーナに装備し、ガスバーナに着火、燃焼させ、ガラス加工のガラスアクセサリーにガラス製棒、とんぼ玉等で加工作業をした。燃焼ガスの有煙性の灰黒色等が付着しないので、従来にない美しいガラスアクセサリー製品の高品質な仕上りになった。
【０００１０】
実施例（５）
市販のカートリッジ式ボンベ（３００ｃｃの容器）の中に▲１▼２，４，６−トリニトロレゾシル０．２５ｃｃを挿入して▲２▼液化ガスをカートリッジ式ボンベ２５０ｃｃを充填し封入した。カートリッジ式ボンベを市販のガスバーナに装備し、ガスバーナに着火、燃焼させ、彫金加工の金製オイルランプに金で装飾加工をした燃焼ガスの有煙性が灰黒色等が付着しないので、従来にない美しい金色製オイルランプ製品の高品質な製品の仕上りになつた。
【０００１１】
実施例（６）
市販のカートリッジ式ボンベ（３００ｃｃの容器）の中に▲１▼２，４，６−トリニトロ安息香酸０．２５ｃｃを挿入して▲２▼液化ガスをカートリッジ式ボンベ２５０ｃｃを充填し封入した。カートリッジ式ボンベを市販のガスバーナに装備し、ガスバーナに着火、燃焼させ、彫銀加工の銀製食器創作の装飾作業した。燃焼ガスの有煙性の灰黒色等が付着しないので、従来にない銀色製食器の装飾作品の高品質な仕上りになった。
【０００１２】
実施例（７）
市販のカートリッジ式ボンベ（３００ｃｃの容器）の中に▲１▼ニトロエタン０．２５ｃｃを挿入して▲２▼液化ガスをカートリッジ式ボンベ２５０ｃｃを充填し封入した。カートリッジ式ボンベを市販の卓上型コンロ等に装備し、ガスバーナに着火、燃焼させ、銅製品加工作業の器製作した。燃焼ガスの有煙性の灰黒色等が付着しないので、従来にない青銅又は、赤銅色の器で高品質な製品の仕上りになった。
【０００１３】
【発明の効果】
本発明によれば、本発明はガス燃料、窒素含有化合物を大気下で気化する可燃性ガスに溶解してなることを特徴とする。本発明によれば、しかも市販のガスバーナ・卓上型コンロ等により燃焼ガスによる有煙性の排出がなく、ガラス加工品等に灰黒色等の付着性がなく、製品の品質の向上のまた可燃性ガスの間欠炎状態も解消して安定した燃焼炎を発生することができる。無煙性発生用液化ガス燃料である。